(57)【要約】【課題】本発明は、スライド式カッターにおいてシート裁断面の品位と安全性および作業性の良好なスライド式カッターを提供せんとするものである。【解決手段】本発明は、刃本体と刃収納部と刃固定部とからなるスライド式カッターにおいて、刃本体の突出を防止するためのピンが、刃収納部に設置されていることを特徴とするスライド式カッターである。【選択図】図１
2004057537.tif 000002
【特許請求の範囲】
【請求項１】
刃本体と刃収納部と刃固定部とからなるスライド式カッターにおいて、刃本体の突出を防止するためのピンが、刃収納部に設置されていることを特徴とするスライド式カッター。
【請求項２】
該刃の該刃収納部からの突出長が、１〜１５ｍｍの範囲内となる該刃収納部の位置にピンが設定されていることを特徴とする請求項１に記載のスライド式カッター。
【請求項３】
該刃固定部が、ネジ固定式であることを特徴とする請求項１または２に記載のスライド式カッター。
【請求項４】
該刃本体が、刃先を刻線に沿って折り取ることができるタイプであることを特徴とする請求項１〜３のいずれかに記載のスライド式カッター。
【請求項５】
該ピンが、該刃本体と直交方向に存在していることを特徴とする請求項１〜４のいずれかに記載のスライド式カッター。
【請求項６】
該ピンが、該刃収納部を貫通していることを特徴とする請求項１〜５のいずれかに記載のスライド式カッター。
【請求項７】
該ピンの該刃本体面に対する断面形状が円形であることを特徴とする請求項１〜６のいずれかに記載のスライド式カッター。
【請求項８】
該ピンの少なくとも一部が金属からなることを特徴とする請求項１〜７のいずれかに記載のスライド式カッター。
【請求項９】
該ピンが、該刃収納部と一体型であることを特徴とする請求項１〜８のいずれかに記載のスライド式カッター。
【請求項１０】
該刃収納部に、ピン挿入用の孔が存在することを特徴とする請求項１〜９のいずれかに記載のスライド式カッター。
【請求項１１】
該刃収納部に、ピンを挟み込む溝が存在することを特徴とする請求項１〜１０のいずれかに記載のスライド式カッター。
【発明の詳細な説明】
【０００１】
【発明の属する技術分野】
本発明は、裁断したシート端面の品位が良好で、かつ効率的にシートを裁断できるスライド式カッターに関する。特に、シート裁断作業中における切創事故を防止し、安全かつ正確な作業を可能とするスライド式カッターに関する。
【０００２】
【従来の技術】
今日、スライド式カッターは、その簡便性と裁断品位の良さから一般家庭、産業用途を問わず広く普及している。また、裁断性能確保のため、摩耗した刃先を刻線に沿って折り取り更新できるタイプが大部分を占めている。
【０００３】
スライド刃の固定方式としては、オルファ（株）製　オルファカッターＬ型のようなネジ固定式と、オルファ（株）製　オルファカッターＡ型やコクヨ（株）製　カッターナイフＨＡ型のような板バネロック式に大きく分離できる。
【０００４】
このようなスライド式カッターでシートの裁断作業を行う場合、シートの裁断面には歪みが無く、裁断方向に沿って直線性の良好な品位の良い裁断物が得られる。また、取り扱いが簡便で、かつ携帯が可能であるため効率の良い裁断作業が可能となる。しかし、刃の突出長が適正でない場合、裁断性が低下することがある。例えば、刃の突出長が短すぎる場合、裁断物の厚みに満たない長さとなり裁断する事が困難となる。一方、刃の突出長が長い場合、切断時の抵抗が強くなり刃先が歪むため良好な裁断端面が得られにくい。
【０００５】
このように、刃の突出長の設定は重要であり、特に精密な裁断面が要求される場合、正確に設定する必要がある。これに対し、ネジ固定式カッターで刃の突出長を設定する場合、突出長を定規で測りながらネジを締め固定するなど、操作が煩雑となる。一方、板バネロック固定式カッターで刃の突出長を設定する場合、段階的に突出長が設定できるため比較的好ましいが、突出長の微調整が効かないという難点がある。
【０００６】
また、このようなスライド式カッターは、取り扱いが簡便なことから、かえって刃物であることの意識が薄れやすく、不用意な取り扱いにより手指または足などを切創する事故が後を絶たない。これらに対し、安全面で様々な改善がなされている。
【０００７】
従来のスライド式カッターは、刃を出す時に勢い余って必要以上に長く出してしまうことがいずれの方式でも起こりうるため、危険を伴いやすい。これに対して、特開平８−２５７２５５号公報では、裁断時以外は刃先を露出しないようなバネ式のカバーを設け切創防止と作業性を両立させるスライド式カッターが開示されている。しかし、被裁断物を裁断する際の裁断抵抗により刃が引きずられて刃先が必要以上に長く出る場合があり、切創の危険が高くなる。これに対して、特開平５−３０５１８７号公報で板バネロック方式を改良したオートロック型カッターナイフが開示されており、安全性は確保されているものの、突出長の微調整が効かないという問題が残る。また、コクヨ（株）製Ｔ２−ＨＡ９型のように可変式Ｔ型定規に固定した裁断用スライド式カッターも市販されているが、カッター部分の自由度が低いため作業性に劣る。
【０００８】
このように、これまで種々のスライド式カッターが検討されてきたが裁断作業性と裁断面の品位および裁断作業時の安全性を両立させるスライド式カッターを提供出来ていないのが現状である。
【０００９】
【発明が解決しようとする課題】
本発明は、かかる従来技術の背景に鑑み、スライド式カッターにおいてシート裁断面の品位と安全性および作業性の良好なスライド式カッターを提供せんとするものである。
【００１０】
【課題を解決するための手段】
本発明は、かかる課題を解決するために、次のような手段を採用するものである。すなわち、本発明のスライド式カッターは、刃本体と刃収納部と刃固定部とからなるスライド式カッターにおいて、刃本体の突出を防止するためのピンが、刃収納部に設置されていることを特徴とするものである。
【００１１】
【発明の実施の形態】
本発明は、前記課題、すなわちシート裁断面の品位と安全性および作業性を両立させるスライド式カッターについて鋭意検討し、刃本体と刃収納部と刃固定部とからなるスライド式カッターにおいて、刃本体の突出を防止するためのピンを刃収納部に設置してみたところ、かかる課題を一挙に解決することができることを究明し、本発明を完成させるに至ったものである。
【００１２】
本発明におけるスライド式カッターは下記３点の効果を有するものである。一つ目の効果として、刃の突出長を簡便に所定の範囲に規定することができることにより作業性が向上する。２つ目の効果として、刃の突出長を短く固定できることにより、被裁断物にカッターを当てる角度を、一義的に規定できることによる裁断面の品位が向上する。３つ目の効果として、刃の突出長微調整時および裁断時に、刃先が必要以上に突出することを防止できることにより安全性が向上する。
【００１３】
以下、本発明を図面に示す一実施態様に基づいてさらに詳細に説明する。
【００１４】
図１は、本発明のスライド式カッターの一例を示す全体図である。この中で、１は刃本体、２は刃固定部、３は刃収納部であり、これらは従来公知のスライド式カッターの構成である。また、４の割ピンを５のピン挿入孔に挿入することにより本発明の効果が発揮される。
【００１５】
図２は、本発明のスライド式カッターにおける刃の突出長の説明図であり、ピンの存在する領域を示す概念図である。６は刃の突出長である。
【００１６】
図３は、本発明のスライド式カッターにおけるピンの形態の一例を示す概略図である。４は割ピン、７はＵ字型ピン、８はリング型ピン、９はダンベル型ピンである。
【００１７】
図４は、本発明のスライド式カッターにおけるピン挿入部の形態の一例を示す概略図である。５、５’、５”はいずれもピン挿入孔、１０はピン挟み込み溝である。
【００１８】
図５は、本発明のスライド式カッターの他の一例を示す全体図であり、ピン挟み込み溝へのダンベル型ピンの装着例である。
【００１９】
図６は、本発明のスライド式カッターの、さらに他の一例を示す全体図であり、ピン挿入孔への一体型ピンの装着例である。１１は刃収納部一体型ピンである。
【００２０】
図７は、本発明の本発明のスライド式カッターの、またさらに他の一例を示す全体図であり、ピン挟み込み溝への一体型ピンの装着例である。１１’は刃収納部一体型ピンである。
【００２１】
刃本体１は、切断性能が求められるため、ステンレスなど金属製であることが好ましく、また、刃本体１が剃刃状になった片刃のスライド刃であることが好ましい。さらに、摩耗した刃先を刻線に沿って折り取ることの可能なタイプであることが好ましい。
【００２２】
刃固定部２は、刃本体１を担持し刃収納部３内でスライドさせる機能と、シート裁断時には刃収納部３と固定一体化し、刃本体１を固定させる機能を有する。また、固定方式は特に限定されず、ネジ固定式、ロック固定式などいかなる機構を用いることもできるが、特にネジ固定式が好ましい。
【００２３】
刃収納部３は、その内部で刃本体１と刃固定部２がスライド可能な構造である必要がある。材質としては、金属、プラスチック、ゴムなどが好適に用いられるが、特に耐久性と使いやすさの観点から、刃本体１に接触する部分は金属製、手で握る部分は滑りにくいプラスチック製あるいはゴム製であることが好ましい。
【００２４】
本発明のスライド式カッターは、刃本体１の突出を防止するためのピンが、刃収納部３に設置されている必要がある。ピンの設置様式としては、刃収納部３に開けた孔に挿入し担持させる様式、刃収納部３に溶接する様式などがあげられるが、特に限定されるものではない。かかるピンを設置することにより、刃を出し入れする際に勢い余って刃を必要以上に突出することを防止出来る。また、かかるピンを装着し、刃本体１をスライドさせピンに押し当てた状態で刃固定部２を固定することにより、簡便に刃の突出長を最適な長さに調整できる。
【００２５】
本発明における刃の刃収納部からの突出長は、図２の６に示すように刃先から刃収納部３に隠れるまでの刃渡りのことであり、ピンの位置により一義的に規定される。
【００２６】
本発明における刃の突出長６は、裁断されるシートの材質、厚みや使用する定規の形状によって最適な値は異なるが、１〜１５ｍｍの範囲内となるようピンの位置が設定されることが好ましい。この場合ピンが存在しうる領域は、図２中の斜線部であり、この領域内であればどこにピンが設置されていても構わない。かかる刃の突出長６が１ｍｍに満たない場合は、長さが被裁断物の厚みより短くなり、被裁断物が満足な状態に切れないことがある。また、刃の突出長６が１５ｍｍを越えると裁断品位が低下し、また手指を切創する危険性が高くなる。
【００２７】
該ピンの挿入方向は、刃本体１に対して直交方向であることが作業性、裁断品位の面から好ましい。また、該ピンは刃の突出を防止できるよう、最低限、刃のスライドする軌跡上に存在していれば良いが、強度、耐久性の観点から刃収納部３を貫通していることが好ましい。
【００２８】
該ピンの刃本体１に対する断面形状は、円形、多角形、不定形を問わずいずれも好適に適用できるが、強度、耐久性の観点から特に円形が好ましい。
【００２９】
該ピンの材質としては、木、金属、プラスチックなどいかなる材質でも適用可能であるが、強度、耐久性の面から金属材料が好適に用いられ少なくとも一部が金属からなることが好ましい。
【００３０】
該ピンの形状は特に限定されるものではないが、図３に示すように４の割ピン、７のＵ字型ピン、８のリング型ピン、９のダンベル型ピンなどが好適に使用できる。
【００３１】
該ピンを装着するために、図４に示すように刃収納部３に５のピン挿入孔、または１０のピン挟み込み溝が存在することが好ましい。また、５’、５”に示すように、孔や溝の数が複数であっても構わない。図１にピン挿入孔５への割ピン４の装着例を示す。また、図５にピン挟み込み溝１０へのダンベル型ピン９の装着例を示す。
【００３２】
また、ピンの紛失防止、およびワンタッチ操作が可能となるなどの観点から、ピンが刃収納部３と一体型であることが好ましい。図６にピン挿入孔５への一体型ピン１１の装着例を示す。また、図７にピン挟み込み溝１０への一体型ピン１１’の装着例を示す。
【００３３】
本発明におけるシート裁断用カッターでは、作業中に手指の発汗により握り部が滑ることを防止するため、握り部の滑り防止処置が施されていることが好ましい。握り部の滑り防止処置としては、握り部の材料として、ゴム製、または革製のものを用いる方法、あるいは握り部に凹凸を設ける方法などが挙げられるが、ゴム製材料を使用する方法が特に好ましい。
【００３４】
本発明のスライド式カッターを用いて裁断するシートは、特に限定されるものではなく、各種の布、紙、フィルム等シート状の材料をいずれも好適に裁断することができる。シートの材質も、プラスチック、ゴム、金属、木材及びこれらの複合材料等無機、有機問わずいずれも好適に使用できる。ただし、特に高強度なシートであるほど本発明の効果が顕著に現れ、例えば炭素繊維、ガラス繊維等無機繊維、アラミド、ナイロン等の有機繊維で強化された複合材料の中間製品であるプリプレグシートの裁断には特に有効である。
【００３５】
【実施例】
以下、実施例により本発明をより詳細に説明するが、本発明は以下の実施例により何ら限定されるものではない。
【００３６】
なお、裁断するシートとしては以下の材料を用いた。
（１）プリプレグシート
強化繊維　　　　　　：炭素繊維（Ｔ７００ＳＣ　東レ（株）製）
マトリックス樹脂　　：＃３６３１（東レ（株）製）
繊維目付　　　　　　：２００ｇ／ｍ２
樹脂重量含有率　　　：３５％
プリプレグシート厚み：０．２０ｍｍ
なお、炭素繊維は一方向に配向した。
（２）ゴムシート
厚さ：５ｍｍ、１０ｍｍ
材質：天然ゴム
実施例１
スライド式カッターとして、図１のようにオルファ（株）製　オルファカッターＬ−２型の先端部に刃の突出長が５ｍｍとなる位置にステンレス製、円形断面の割ピン型ストッパーピンを取り付けたものを用いた。直線定規としてはシンワ（株）製Ｃ型　ＪＩＳ　１級（厚み１．６ｍｍ）を用い、プリプレグシートを裁断した。
【００３７】
簡単に最適な突出長に設定できたため、裁断品位も良好であった。また、勢い余って刃先を出しすぎることもなく安全性にも優れていた。
【００３８】
実施例２
刃の突出長を１２ｍｍとなるようピンの位置を設置した以外は実施例１と同様のスライド式カッターを用いて５ｍｍ厚ゴムシートを裁断した。
【００３９】
このゴムシートに最適な突出長であったため裁断品位は良好であった。また、作業性、安全性は問題なかった。
【００４０】
実施例３
刃の突出長を２０ｍｍとなるようピンの位置を設置した以外は実施例１と同様のスライド式カッターを用いて１０ｍｍ厚ゴムシートを裁断した。ゴムシートが肉厚のため、若干裁断品位は下がったが問題のないレベルであった。また、作業性、安全性は問題なかった。
【００４１】
実施例４
ピンの材質がＡＢＳ樹脂である以外は、実施例１と同様のスライド式カッターを用いてプリプレグシートを裁断した。
【００４２】
その結果、実施例１と同等の簡便性、裁断品位および安全性が認められた。しかし、長期間の使用によりピンが折損し、耐久性に若干問題が認められた。
【００４３】
実施例５
図５に示すように、刃収納部に溝が切られ嵌め込むタイプのピンを使用する以外は、実施例１と同様のスライド式カッターを用いてプリプレグシートを裁断した。
【００４４】
その結果、ピンの付け替えが容易となり、実施例１対比、さらに作業性が向上した。また、裁断品位、安全性は同等であった。
【００４５】
実施例６
図６に示すように、ピンと刃収納部が一体型である以外は、実施例１と同様のスライド式カッターを用いてプリプレグシートを裁断した。
【００４６】
その結果、ワンタッチでピンの出し入れができ、実施例１対比、さらに作業性が向上した。また、裁断品位、安全性は同等であった。
【００４７】
比較例１
ピンを取り付けない以外は、実施例１と同様のスライド式カッターを用いて、刃の突出長を５ｍｍに設定しプリプレグシートを裁断した。
【００４８】
その結果は、裁断品位は良好であったが刃の突出長の設定に手間が掛かり、また必要以上に刃を出しすぎることがあった。このように、実施例１に対し、作業性、安全性に劣るものであった。
【００４９】
【発明の効果】
本発明のスライド式カッターは、刃本体の突出を防止するためのピンが、刃収納部に設置されていることにより、シート裁断面の品位と安全性および作業性を同時に確保できるため、特に高強度のシート材料において優れた裁断性能を発揮する。
【図面の簡単な説明】
【図１】本発明のスライド式カッターの一例を示す全体図である。
【図２】本発明のスライド式カッターにおける刃の突出長およびピンの存在する領域を示す概念図である。
【図３】本発明のスライド式カッターに使用するピンの形態の一例を示す概略図である。
【図４】本発明のスライド式カッターにおけるピン挿入部の形態の一例を示す概略図である。
【図５】本発明のスライド式カッターの他の一例を示す全体図である。
【図６】本発明のスライド式カッターの、さらに他の一例を示す全体図である。
【図７】本発明のスライド式カッターの、またさらに他の一例を示す全体図である。
【符号の説明】
１：刃本体
２：刃固定部
３：刃収納部
４：割ピン
５、５’、５”：ピン挿入孔
６：刃の突出長
７：Ｕ字ピン
８：リング型ピン
９：ダンベル型ピン
１０：ピン挟み込み溝
１１、１１’：一体型ピン
【図１】
2004057537.tif 000003
【図２】
2004057537.tif 000004
【図３】
2004057537.tif 000005
【図４】
2004057537.tif 000006
【図５】
2004057537.tif 000007
【図６】
2004057537.tif 000008
【図７】
2004057537.tif 000009